(57)【要約】【課題】 来訪者の認証情報を取得した際、被来訪者にとって迎え入れたい来訪者の来訪の場合のみ、その来訪を被来訪者へ知らせることが出来る相手認証機能を有するドアホンシステムを提供する。【解決手段】 ドアホン親機と連動する又はドアホン親機の機能を内蔵する主装置と、前記ドアホン親機又は前記主装置に帰属するドアホン子機と、玄関ドアの開閉を検出する玄関ドアセンサを含むドアホンシステムであって、前記主装置は、前記ドアホン子機から受信した来訪者認証情報が好ましくない来訪者の認証情報として前記来訪者認証情報蓄積手段に蓄積されていると共に、当該来訪者の来訪時の応答処理内容が来訪拒否であった場合、前記被来訪者への呼出動作を開始しないことを特徴とする。【選択図】 図３
2008306620.tif 000002
【特許請求の範囲】
【請求項１】
ドアホン親機と連動する又はドアホン親機の機能を内蔵する主装置と、前記ドアホン親機又は前記主装置に帰属するドアホン子機と、玄関ドアの開閉を検出する玄関ドアセンサを含むドアホンシステムであって、
前記ドアホン子機は、
当該ドアホン子機を操作している来訪者の指紋等のバイオメトリックス認証情報を取得する来訪者認証情報取得手段を具備し、
前記主装置は、
前記ドアホン子機が取得した来訪者認証情報を受信する来訪者認証情報受信手段と、前記来訪者認証情報を蓄積する来訪者認証情報蓄積手段と、前記ドアホン子機から受信した来訪者認証情報が前記認証情報蓄積手段に蓄積されているか否かを検索する来訪者認証情報検索手段を具備し、
前記ドアホン子機から受信した来訪者認証情報が前記来訪者認証情報蓄積手段に蓄積されていなかった場合に、被来訪者への呼出動作を開始すると共に、当該呼出動作に対する被来訪者からの応答と前記玄関ドアの開閉を監視し、当該呼出動作に対して被来訪者からの応答があったにも関らず前記玄関ドアが開かなかったならば、当該来訪者認証情報を好ましくない来訪者の認証情報として前記認証情報蓄積手段に蓄積することを特徴とする相手認証機能を有するドアホンシステム。
【請求項２】
請求項１に記載のドアホンシステムであって、
前記来訪者認証情報蓄積手段は、来訪者認証情報と関連付けて、来訪者各々に対する来訪時の応答処理内容を蓄積することを特徴とする相手認証機能を有するドアホンシステム。
【請求項３】
請求項２に記載のドアホンシステムであって、
前記主装置は、前記ドアホン子機から受信した来訪者認証情報が好ましくない来訪者の認証情報として前記来訪者認証情報蓄積手段に蓄積されていると共に、当該来訪者の来訪時の応答処理内容が来訪拒否であった場合、前記被来訪者への呼出動作を開始しないことを特徴とする相手認証機能を有するドアホンシステム。
【請求項４】
請求項２に記載のドアホンシステムであって、
前記主装置は、前記ドアホン子機から受信した来訪者認証情報が好ましくない来訪者の認証情報として前記来訪者認証情報蓄積手段に蓄積されていると共に、当該来訪者の来訪時の応答処理内容が来訪拒否であった場合、予め登録されている所定の音声メッセージを前記ドアホン子機に送信することを特徴とする相手認証機能を有するドアホンシステム。
【請求項５】
来訪者の認証情報を取得する来訪者認証情報取得手段を有するドアホン子機と来訪者認証情報蓄積手段を有する主装置と玄関ドアの開閉を検出する玄関ドアセンサを含むドアホンシステムにおける相手判定方法であって、
前記ドアホン子機が取得した来訪者認証情報が前記来訪者認証情報取得手段に蓄積されていなかった場合に、被来訪者への呼出動作を開始すると共に、当該呼出動作に対する被来訪者からの応答と前記玄関ドアの開閉を監視し、当該呼出動作に対して被来訪者からの応答があったにも関らず前記玄関ドアが開かなかったならば、当該来訪者を好ましくない来訪者と判定することを特徴とする相手判定方法。
【発明の詳細な説明】
【技術分野】
【０００１】
本発明は、認証機能を持つドアホン子機とテレビモニタと複数のセンサとスイッチを収容する主装置と内線端末から成るドアホンシステムに関する。
【背景技術】
【０００２】
来訪者を認証して適切な応答を行うことが出来る来訪者応答システムが開示されている（例えば、特許文献１参照）。この来訪者応答システムでは、来訪者のバイオメトリクス情報を取得し、事前に登録してあるバイオメトリクス情報と照合して来訪者を認証し、その結果を被来訪者に通知する。また、被来訪者が不在の場合は、被来訪者が事前に登録した所望の応答処理を行う。
【０００３】
【特許文献１】特開２００２―２８１１６１号公報
【発明の開示】
【発明が解決しようとする課題】
【０００４】
しかしながら、上記特許文献１で開示されている技術では、来訪者の認証結果を被来訪者に通知するまでであり、被来訪者は、前記通知内容を確認後、来訪者を迎え入れるか、あるいは門前払いにするかをその都度判断して対応する必要があり、特に門前払いにする来訪者への対応は被来訪者にとって面倒であるという欠点が解決されていない。
そこで、本発明の課題は、来訪者の認証情報を取得した際、被来訪者にとって迎え入れたい来訪者の来訪の場合のみ、その来訪を被来訪者へ知らせることが出来る相手認証機能を有するドアホンシステムを提供することにある。
また、訪問を拒絶したい来訪者の初回来訪時は、データベースに登録する情報を自動的に登録することが出来る相手認証機能を有するドアホンシステムを提供することにある。
【課題を解決するための手段】
【０００５】
第１の発明は、ドアホン親機と連動する又はドアホン親機の機能を内蔵する主装置と、前記ドアホン親機又は前記主装置に帰属するドアホン子機と、玄関ドアの開閉を検出する玄関ドアセンサを含むドアホンシステムであって、前記ドアホン子機は、当該ドアホン子機を操作している来訪者の指紋等のバイオメトリックス認証情報を取得する来訪者認証情報取得手段を具備し、前記主装置は、前記ドアホン子機が取得した来訪者認証情報を受信する来訪者認証情報受信手段と、前記来訪者認証情報を蓄積する来訪者認証情報蓄積手段と、前記ドアホン子機から受信した来訪者認証情報が前記認証情報蓄積手段に蓄積されているか否かを検索する来訪者認証情報検索手段を具備し、前記ドアホン子機から受信した来訪者認証情報が前記来訪者認証情報蓄積手段に蓄積されていなかった場合に、被来訪者への呼出動作を開始すると共に、当該呼出動作に対する被来訪者からの応答と前記玄関ドアの開閉を監視し、当該呼出動作に対して被来訪者からの応答があったにも関らず前記玄関ドアが開かなかったならば、当該来訪者認証情報を好ましくない来訪者の認証情報として前記認証情報蓄積手段に蓄積することを特徴とする。
【０００６】
第２の発明は、第１の本発明において、前記来訪者認証情報蓄積手段は、来訪者認証情報と関連付けて、来訪者各々に対する来訪時の応答処理内容を蓄積することを特徴とする。
【０００７】
第３の発明は、第２の本発明において、前記主装置は、前記ドアホン子機から受信した来訪者認証情報が好ましくない来訪者の認証情報として前記来訪者認証情報蓄積手段に蓄積されていると共に、当該来訪者の来訪時の応答処理内容が来訪拒否であった場合、前記被来訪者への呼出動作を開始しないことを特徴とする。
【０００８】
第４の発明は、第２の本発明において、前記主装置は、前記ドアホン子機から受信した来訪者認証情報が好ましくない来訪者の認証情報として前記来訪者認証情報蓄積手段に蓄積されていると共に、当該来訪者の来訪時の応答処理内容が来訪拒否であった場合、予め登録されている所定の音声メッセージを前記ドアホン子機に送信することを特徴とする。
【０００９】
第５の発明は、来訪者の認証情報を取得する来訪者認証情報取得手段を有するドアホン子機と来訪者認証情報蓄積手段を有する主装置と玄関ドアの開閉を検出する玄関ドアセンサを含むドアホンシステムにおける相手判定方法であって、前記ドアホン子機が取得した来訪者認証情報が前記来訪者認証情報取得手段に蓄積されていなかった場合に、被来訪者への呼出動作を開始すると共に、当該呼出動作に対する被来訪者からの応答と前記玄関ドアの開閉を監視し、当該呼出動作に対して被来訪者からの応答があったにも関らず前記玄関ドアが開かなかったならば、当該来訪者を好ましくない来訪者と判定することを特徴とする。
【発明の効果】
【００１０】
本発明によれば、被来訪者にとって迎え入れたい来訪者の場合のみ、その来訪を被来訪者へ知らせることが出来る。また、訪問を拒絶したい来訪者についても、初回来訪時に認証情報を所定のデータベースに自動的に登録することが出来る。
【発明を実施するための最良の形態】
【００１１】
家族、知人、宅配業者等、被来訪者にとって迎え入れたい来訪者の場合と、興味の無い訪問販売セールスマン等、訪問を拒絶したい来訪者や不審者がドアホン子機を操作した場合を例に、本発明の実施の形態について図面を参照して説明する。
【００１２】
図１は、本発明の実施例に係る相手認証機能を有するドアホンシステムの構成を示す図である。本発明のドアホンシステムは、被来訪者宅の屋内に主装置１０を、玄関先にドアホン子機２０を、玄関ドアに玄関ドアセンサ３０を設置し、さらに、前記主装置１０は制御可能な玄関電灯スイッチ４０や、居間のテレビモニタ５０や部屋センサ６０と接続される。この主装置１０はドアホン子機２０の親機であると共に、複数の内線端末７０（電話機等）を収容するホームテレホンやビジネスホンの制御装置であり、アナログ電話網，ＩＳＤＮ網，ＩＰ網等の公衆網８０を介して相手端末９０と通信できる。ただし、発着信等の電話機能の詳細については割愛している。
【００１３】
主装置１０は、制御部１１０とドアホン親機１２０とスケジューラ１３０と指紋データ入力部１４０と認証処理部（検索、登録）１５０と音声メッセージ処理部１６０とデータベース１７０と電源１８０とセンサ情報入力部１９０と通信処理部２００と内線端末制御部２１０と時計２２０と周辺機器制御部２３０を具備し、ドアホン子機２０は、呼出ボタン(センサ)２１とカメラ２２とスピーカ２３を具備する。なお、ドアホン親機１２０は、主装置１０から分離した構成であっても良い。
【００１４】
次に、図１の主装置１０の内部にあるデータベース１７０のデータ構造の１例を図２に示す。図２に示すデータベース１７０の例では、ドアホン子機２０の呼出ボタン(センサ)２１を操作する来訪者の認証情報３０２と関連付けて、名前３０３、グループ３０４、起動処理３０５、自動電源ＯＮ(昼)／(夜)３０６、自動送出(１回目)／(２回目)／(３回目以降)３０７、来訪履歴３０８が登録されている。前記自動送出(１回目)／(２回目)／(３回目以降)メッセージ３０７として、メッセージＡ１「ただいま、外出しております。」、メッセージＡ２「夕方５時頃、帰宅する予定です。」、メッセージＡ３「お急ぎの場合は、ご用件を録音して下さい。」、メッセージＣ１「どちら様でしょうか。」、メッセージＣ２「ただいま、対応することが出来ません。」、メッセージＣ３「お取次ぎ出来ませんのでお引き取り下さい。」、メッセージＤ１「どちら様でしょうか。」、メッセージＤ２「ただいま、対応することが出来ません。」、メッセージＤ３「後ほど、ご連絡させて頂きますので、連絡先をお話し下さい。」等が予め登録されている。なお、来訪者の情報は１レコード／人であり、レコード番号３０１は来訪者の整理番号である。
被来訪者は、新規訪問者の来訪を受ける毎に、前記データベース１７０にデータを追加登録すると共に、適宜不要なデータを削除する。
図２において、認証情報３０２の例として指紋を登録しているが、これは、ドアホン子機２０の呼出ボタン２１のボタン部に装着されている指紋センサで来訪者の指紋を採取する。なお、本発明は指紋に限らず、顔、虹彩、静脈、声紋等の認証情報や、それらの組み合わせであっても良い。ただし、ドアホン子機２０で採取可能なバイオメトリックス情報に限定される。
【００１５】
レコード番号３０１は、来訪者の整理番号が１レコード単位に一意に割り当てられる。来訪者を識別する認証情報３０２には、来訪者毎の指紋が登録される。名前３０３には、来訪者の名前が登録される。グループ３０４には、来訪者毎に家族、知人、宅配業者、その他のグループが登録される。起動処理３０５には、来訪者毎に通常モード、不審者モード、居留守モードの起動処理が登録される。自動電源ＯＮ(昼)／(夜)３０６には、来訪者毎に来訪者がドアホン子機２０の呼出ボタン(センサ)２１を操作した際に自動的に電源ＯＮ(昼)／(夜)する電化製品が登録される。自動送出(１回目)／(２回目)／(３回目以降)３０７には、来訪者毎に来訪者がドアホン子機２０の呼出ボタン(センサ)２１を操作した際にスピーカ２３から自動的に送出する音声メッセージ(１回目)／(２回目)／(３回目以降)が登録される。来訪履歴３０８には、来訪者毎に来訪者がドアホン子機２０の呼出ボタン(センサ)２１を操作した日時が登録される。
【００１６】
次に、図３に示すシステム全体のフローチャート図を参照し、来訪者がドアホン子機２０の呼出ボタン(センサ)２１を操作した時のシステム全体の動作の流れを説明する。なお、図３において、電話発着信等の基本的な機能については説明を割愛する。
【００１７】
来訪者が呼出ボタン(センサ)２１を押下すると、ドアホン子機２０は来訪を主装置１０に通知し、主装置１０は来訪者の呼出ボタン(センサ)２１の押下を検出する（Ｓ４０１、Ｙｅｓ）。そして、ドアホン子機２０は、来訪者が呼出ボタン(センサ)２１を押下した時に採取した来訪者の指紋情報を主装置１０へ送信する。主装置１０は、前記指紋情報を取得し（Ｓ４０２）、前記指紋情報を入手した日時を時計２２０から取得する（Ｓ４０３）。
【００１８】
主装置１０の制御部１１０において、ドアホン子機２０から取得した指紋情報が主装置１０のデータベース１７０内の認証情報３０２に一致する指紋情報の登録有無を検索する（Ｓ４０４）。
【００１９】
検索の結果、一致する指紋情報が登録有りの場合（Ｓ４０４、Ｙｅｓ）、主装置１０はグループ対応起動処理（Ｓ４１２）を行う。
【００２０】
前記グループ対応起動処理を図４に示すフローチャート図を参照し、動作の流れを説明する。主装置１０の制御部１１０において、データベース１７０内に該当する認証情報３０２を含むレコードが無いか検索する（Ｓ５０１）。
【００２１】
Ｓ５０１の検索の結果、一致する指紋情報を含むレコードが含むグループ３０４が、「家族」である場合（Ｓ５０２、Ｙｅｓ）、主装置１０は内線端末７０を鳴動させ被来訪者へ来訪があることを知らせ（Ｓ５０３）、テレビモニタ５０へドアホン子機操作者である来訪者の画像を出力する（Ｓ５０４）。
【００２２】
そして、主装置１０の制御部１１０において、前記ドアホン子機２０が操作されたのは、夜であるかを判断するために時計２２０より時刻情報を得て、その結果夜である場合、（Ｓ５０５、Ｙｅｓ）、前記レコードが含む自動電源ＯＮ（昼）／（夜）３０６の夜に登録されている機器（玄関照明）の電源をＯＮする（Ｓ５０６）。
【００２３】
Ｓ５０１の検索の結果、一致する指紋情報を含むレコードが含むグループ３０４が、「知人」又は「宅配業者」である場合（Ｓ５０７、Ｙｅｓ）、主装置１０は内線端末７０を鳴動させ被来訪者へ来訪があることを知らせ（Ｓ５０８）、テレビモニタ５０へドアホン子機操作者である来訪者の画像を出力する（Ｓ５０９）。
【００２４】
そして、主装置１０の制御部１１０において、前記ドアホン子機２０が操作されたのは、夜であるかを判断するために時計２２０より時刻情報を得て、その結果夜である場合、（Ｓ５１０、Ｙｅｓ）、前記レコードが含む自動電源ＯＮ（昼）／（夜）３０６の夜に登録されている機器（外灯、玄関照明）の電源をＯＮする（Ｓ５１１）。
【００２５】
Ｓ５０１の検索の結果、一致する指紋情報を含むレコードが含むグループ３０４が、「その他」である場合（Ｓ５１２、Ｙｅｓ）、主装置１０は被来訪者へ来訪があることを知らさず、主装置１０の制御部１１０において、前記ドアホン子機２０が操作されたのは、夜であるかを判断するために時計２２０より時刻情報を得て、その結果夜である場合、（Ｓ５１３、Ｙｅｓ）、前記レコードが含む自動電源ＯＮ（昼）／（夜）３０６の夜に登録されている機器（外灯）の電源をＯＮする（Ｓ５１４）。
【００２６】
そして、主装置１０の制御部１１０において、来訪者の来訪履歴をデータベース１７０の来訪履歴３０８へ登録する（図３、Ｓ４１３）。
【００２７】
来訪者がドアホン子機の呼出ボタン(センサ)２１を押下したが、前記来訪者がグループ３０４において「その他」と登録され、起動処理３０５において「不審者モード」と登録されている場合、主装置１０は被来訪者へ前記来訪を知らせない。また被来訪者が、特定の来訪者を迎え入れたくない場合は予め前記来訪者に対する起動処理３０５を「居留守モード」に設定しておく。この２つのモードの場合、被来訪者がドアを開けて対応しないことから（Ｓ４１４、Ｎｏ）、不審者モード／居留守モード起動処理が起動される（Ｓ４１５）。
【００２８】
前記不審者モード／居留守モード起動処理を図６に示すフローチャート図を参照し、動作の流れを説明する。主装置１０の制御部１１０において、データベース１７０内に該当する認証情報３０２を含むレコードが無いか検索する（Ｓ６０１）。
【００２９】
Ｓ６０１の検索の結果、一致する指紋情報を含むレコードが含むグループ３０４が、「知人」又は「宅配業者」である場合（Ｓ６０２、Ｙｅｓ）、前記レコードが含む起動処理３０５が「居留守モード」である場合（Ｓ６０３、Ｙｅｓ）、前記レコードが含む自動電源ＯＮ（昼）／（夜）３０６に登録されている機器（昼：ラジオ、夜：外灯）の電源をＯＮし（Ｓ６０４）、ドアホン子機２０のスピーカ２３からメッセージを自動送出する処理（Ｓ６０５）を行う。
【００３０】
前記メッセージ自動送出処理を図７に示すフローチャート図を参照し、動作の流れを説明する。来訪者がドアホン２０の呼出ボタン(センサ)２１を押下したのが１回目の場合（Ｓ７０１、Ｙｅｓ）、一致する指紋情報を含むレコードが含む自動送出（１回目）３０７に登録されているメッセージをドアホン子機２０のスピーカ２３から送出する（Ｓ７０２）。
【００３１】
ドアホン子機２０の呼出ボタン（センサ）２１を押下した来訪者が玄関ドア前に継続して滞在していることをカメラ２２が検出し、その時間が５秒経過した場合（Ｓ７０３、Ｙｅｓ）、一致する指紋情報を含むレコードが含む自動送出（２回目）３０７に登録されているメッセージをドアホン子機２０のスピーカ２３から送出する（Ｓ７０５）。
【００３２】
ドアホン子機２０の呼出ボタン（センサ）２１を押下した前記来訪者が玄関ドア前に継続して滞在しているかをカメラ２２が検出し、その時間がさらに５秒経過した場合（Ｓ７０６、Ｙｅｓ）、一致する指紋情報を含むレコードが含む自動送出（３回目以降）３０７に登録されているメッセージをドアホン子機２０のスピーカ２３から送出する（Ｓ７０８）。
【００３３】
ドアホン子機２０の呼出ボタン（センサ）２１を押下した前記来訪者が玄関ドア前に継続して滞在していることをカメラ２２が検出しない場合（Ｓ７０３、Ｎｏ）（Ｓ７０６、Ｎｏ）、メッセージ自動送出処理は処理を終える。
【００３４】
主装置１０の制御部１１０において、データベース１７０内に該当する認証情報３０２を含むレコードが含むグループ３０４が「その他」で尚かつ、起動処理３０５が「不審者モード」である場合（図６、Ｓ６０６、Ｙｅｓ）、メッセージ自動送出処理（Ｓ６０５）を起動する。
【００３５】
次に、呼出ボタン(センサ)２１を押下する来訪者の認証情報が主装置１０のデータベース１７０内に無い場合の処理の流れを説明する。
【００３６】
主装置１０の制御部１１０において、ドアホン子機２０から取得した指紋情報が主装置１０のデータベース１７０内の認証情報３０２に一致する指紋情報の登録有無の検索の結果、登録が無い場合（図３、Ｓ４０４、Ｎｏ）、主装置１０は内線端末７０を鳴動させ被来訪者へ来訪があることを知らせ（Ｓ４０５）、テレビモニタ５０へドアホン子機操作者である来訪者の画像を出力する（Ｓ４０６）。
【００３７】
そして、呼出ボタン(センサ)２１から取得した来訪者の認証情報と来訪者の来訪履歴をデータベース１７０の認証情報３０２と来訪履歴３０８のそれぞれへ登録する（Ｓ４０７）。
【００３８】
主装置１０は、内線端末７０の鳴動（呼出）に対して、被来訪者の応答を内線端末７０の応答により認識する（Ｓ４０８）。前記応答を認識した場合（Ｓ４０８、Ｙｅｓ）、主装置１０は、玄関ドアが開いたかを玄関ドアセンサ３０からの情報で認識する（Ｓ４０９）。認識の結果、一定時間が経過しても玄関ドアが開かない場合（Ｓ４０９、Ｎｏ）は、被来訪者がドアを開けて対応しなかったことから、不審者モード登録処理を起動する（Ｓ４１０）。
【００３９】
前記不審者モード登録処理を図８に示すフローチャート図を参照し、動作の流れを説明する。Ｓ４０７の処理において、来訪者の認証情報を登録したデータベース１７０の同一レコードの名前３０３に「不明」を登録する（Ｓ８０１）。そして、前記同一レコードのグループ３０４に「その他」を登録し（Ｓ８０２）、起動処理３０５に「不審者モード」を登録し（Ｓ８０３）、自動電源ＯＮ（昼）／（夜）３０６に「昼：なし／夜：外灯」を登録し（Ｓ８０４）、自動送出（１回目）／（２回目）／（３回目以降）３０７に「メッセージＣ１／Ｃ２／Ｃ３」を登録する（Ｓ８０５）。
【００４０】
主装置１０は、Ｓ４０９の結果、玄関ドアが開いた場合（Ｓ４０９、Ｙｅｓ）は、被来訪者がドアを開けて来訪者を迎え入れたことから、不審者ではないと判断し、データベースへデータ登録を促す処理を起動する（図３、Ｓ４１１）。
【００４１】
前記データベースへデータ登録を促す処理を図９と図１０に示すフローチャート図を参照し、動作の流れを説明する。
【００４２】
主装置１０は、被来訪者に対して来訪者の名前を入力するように促すメッセージをテレビモニタ５０の画面に表示し（Ｓ９０１）、来訪者の名前が内線端末７０から入力された場合（Ｓ９０２、Ｙｅｓ）、主装置１０は、Ｓ４０７の処理において、来訪者の認証情報を登録したデータベース１７０の同一レコードの名前３０３に、内線端末７０から入力された名前    を登録する（Ｓ９０３）。前記入力を促すメッセージ内容の1例として、「新規来訪者の名前を登録して下さい。」のメッセージを表示させても良い。また、前記入力を促すメッセージは、内線端末７０からの音声出力でも良い。なお、この登録は来訪者が帰った後でも可能である。
【００４３】
次に、被来訪者に対して来訪者のグループを入力するように促すメッセージをテレビモニタ５０の画面に表示し（Ｓ９０４）、来訪者のグループが内線端末７０から入力された場合（Ｓ９０５、Ｙｅｓ）、主装置１０は、Ｓ４０７の処理において、来訪者の認証情報を登録したデータベース１７０の同一レコードのグループ３０４に、内線端末７０から入力されたグループを登録する（Ｓ９０６）。
【００４４】
次に、被来訪者に対して来訪者対応の起動処理を入力するように促すメッセージをテレビモニタ５０の画面に表示し（Ｓ９０７）、来訪者対応の起動処理が内線端末７０から入力された場合（Ｓ９０８、Ｙｅｓ）、主装置１０は、Ｓ４０７の処理において、来訪者の認証情報を登録したデータベース１７０の同一レコードの起動処理３０５に、内線端末７０から入力された起動処理を登録する（Ｓ９０９）。
【００４５】
次に、被来訪者に対して来訪者対応の自動電源ＯＮ(昼)／(夜)を入力するように促すメッセージをテレビモニタ５０の画面に表示し（Ｓ９１０）、来訪者対応の自動電源ＯＮ(昼)／(夜)が内線端末７０から入力された場合（Ｓ９１１、Ｙｅｓ）、主装置１０は、Ｓ４０７の処理において、来訪者の認証情報を登録したデータベース１７０の同一レコードの自動電源ＯＮ(昼)／(夜)３０６に、内線端末７０から入力された機器名を登録する（Ｓ９１２）。
【００４６】
次に、被来訪者に対して来訪者対応の自動送出メッセージを入力するように促すメッセージをテレビモニタ５０の画面に表示し（Ｓ９１３）、来訪者対応の自動送出メッセージが内線端末７０から入力された場合（Ｓ９１４、Ｙｅｓ）、主装置１０は、Ｓ４０７の処理において、来訪者の認証情報を登録したデータベース１７０の同一レコードの自動送出(１回目)／(２回目)／(３回目以降)３０７に、内線端末７０から入力されたメッセージ１／２／３を登録する（Ｓ９１５）。
【００４７】
なお、来訪者がドアホン子機２０の呼出ボタン(センサ)２１を操作した際に被来訪者が内線端末７０を使用し、公衆網８０を介して相手端末９０と通話中の場合には、主装置１０の内部にあるデータベース１７０の自動送出(１回目)／(２回目)／(３回目以降)３０７に登録されているメッセージを自動でドアホン子機２０のスピーカ２３に送出することが出来る。
【図面の簡単な説明】
【００４８】
【図１】本発明の実施例に係る相手認証機能を有するドアホンシステムの構成を示す図である。
【図２】図１の主装置内部にあるデータベースのデータ構成の１例を示す図である。
【図３】システム全体のフローチャート図である。
【図４】グループ対応起動処理のフローチャート図である。
【図５】グループ対応起動処理のフローチャート図の続きである。
【図６】不審者モード／居留守モード起動処理のフローチャート図である。
【図７】メッセージ自動送出処理のフローチャート図である。
【図８】不審者モード登録処理のフローチャート図である。
【図９】データベースへデータ登録を促す処理のフローチャート図である。
【図１０】データベースへデータ登録を促す処理のフローチャート図の続きである。
【符号の説明】
【００４９】
１０：主装置、１１０：制御部、１２０：ドアホン親機、１３０：スケジューラ、１４０：指紋データ入力部、１５０：認証処理部（検索、登録）、１６０：音声メッセージ処理部、１７０：データベース、１８０：電源、１９０：センサ情報入力部、２００：通信処理部、２１０：内線端末制御部、２２０：時計、２３０：周辺機器制御部、２０：ドアホン子機、２１：呼出ボタン（センサ）、２２：カメラ、２３：スピーカ、３０：玄関ドアセンサ、４０：玄関電灯スイッチ、５０：テレビモニタ、６０：部屋センサ、７０：内線端末、８０：公衆網、９０：相手端末。
【図１】
2008306620.tif 000003
【図２】
2008306620.tif 000004
【図３】
2008306620.tif 000005
【図４】
2008306620.tif 000006
【図５】
2008306620.tif 000007
【図６】
2008306620.tif 000008
【図７】
2008306620.tif 000009
【図８】
2008306620.tif 000010
【図９】
2008306620.tif 000011
【図１０】
2008306620.tif 000012